(57)【特許請求の範囲】
【請求項１】
ディスク収納ケースの背面に設けられるタイトル表示具であって、
背表紙が配設される曲面形状の表示面を有する表示本体と、背表紙の上から前記表示面を被うように装着されるカバーとを備え、
前記表示本体にはタイトル表示具をディスク収納ケースの背面板に取り付けるための係合部が設けられ、この係合部は表示本体の裏面側に突出し且つ表示本体との間に前記ディスク収納ケースの背面板が差し込まれる差込溝を有する係合突片からなり、この係合突片及び差込溝が表示本体のほぼ全長に亘って設けられていることを特徴とするディスク収納ケースのタイトル表示具。
【請求項２】
前記表示本体がディスク収納ケースの背面板と一体に形成されている請求項１記載のディスク収納ケースのタイトル表示具。
【請求項３】
前記表示本体は表示面の周囲に張出縁を有している請求項１記載のディスク収納ケースのタイトル表示具。
【請求項４】
前記表示本体が着色され、前記カバーが透明である請求項１記載のディスク収納ケースのタイトル表示具。
【請求項５】
前記表示本体に前記カバーを装着した時に表示本体の張出縁の着色が現われる請求項５記載のディスク収納ケースのタイトル表示具。
【請求項６】
前記係合突片は差込溝の上部側に僅かに傾斜している請求項１記載のディスク収納ケースのタイトル表示具。
【請求項７】
前記係合部は前記係合突片の先端から略直角に折れ曲がる押圧片を有し、係合部をディスク収納ケースの背面板に取り付けた際、前記係合突片及び押圧片がディスク収納ケースに密着する請求項１記載のディスク収納ケースのタイトル表示具。
【発明の詳細な説明】
【技術分野】
【０００１】
本発明は、ディスク収納ケース内に収納されたディスクのタイトルを表示するためのタイトル表示具に関するものである。
【背景技術】
【０００２】
ＣＤ−ＲやＤＶＤ−Ｒ等の光ディスクは、コンピュータ装置の外部記憶メディアとして利用され、文書の保管やバックアップ用に、また音楽ＣＤの作成用などに広く利用されている。そして、データを記録した光ディスクの表面に記録した内容を示すタイトルを表記すると共に、ディスク収納ケースの背表紙にも同様のタイトルを表記することで光ディスクの整理や管理を行なうことができる。【０００３】
ところで、この種のディスク収納ケースは、最近では厚さが５ｍｍ程度の薄型のものが普及しているが、このくらい薄くなるとディスク収納ケースの背面に背表紙を配設しにくくなる他、背表紙の幅も５ｍｍ以下ときわめて狭くなるために文字が書きにくくなり、また表記されたタイトルも字が細かいために見にくくなるといった問題があった。【０００４】
そこで、従来にあってはこのような問題を解決する手段として、特許文献１又は特許文献２に記載されているようなタイトル表示手段が知られている。【０００５】
前記特許文献１に記載のタイトル表示手段は、図１５に示したように、ディスク収納ケース１の端部に設けられた空間部２内に挿入するタイトル表示部材３と、このタイトル表示部材３を空間部２内に支持する支持部材４とを備えた構成である。タイトル表示部材３はタイトルの表記が可能な背表紙部５を備え、支持部材４は弾性によってディスク収納ケース１の空間部２内に係止されると共に、空間部２内に挿入されたタイトル表示部材３の背表紙部５をディスク収納ケース１の背面板６の内面に対面させるものである。【０００６】
特許文献２に記載のタイトル表示手段は、図１６に示したように、ディスク収納ケース７の背面側に下ケース８と一体の凸レンズ部９を設け、下ケース８と中ケース１０との間に挟み込まれたラベル１１の端部を直角に折り曲げて背表紙部１２を設け、この背表紙部１２に表記された光ディスクのタイトルが凸レンズ部９を通して拡大表示されるものである。【０００７】
しかしながら、上記従来のタイトル表示手段にあっては、前者の場合にはタイトルを表記するための背表紙部５の幅が狭いために、タイトルを小さな文字で表記しなければならず、また表記された文字も見にくいものである。一方、後者の場合には凸レンズ部９を通してタイトルを拡大して見ることができるものの、見る方向によっては凸レンズ部９の効果が得られずに反って見にくくなることもある。また、ラベル１１の背表紙部１２の幅も狭いために、前者の場合と同様、小さな文字でタイトルを書かざるを得ないといった問題があった。
【特許文献１】特開２００３−３００５７８号公報
【特許文献２】特開２００４−９１０４２号公報
【発明の開示】
【発明が解決しようとする課題】
【０００８】
そこで、本発明が解決しようとする課題は、背表紙の幅を広く保つことでタイトルを大きな文字で表記できるようにすると共にタイトルを見やすくためのディスク収納ケースのタイトル表示具を提供することである。本発明に係るタイトル表示具は特に薄型のディスク収納ケースにおいて一層の効果を発揮するものである。
【課題を解決するための手段】
【０００９】
かかる目的を達成するために、本発明に係るディスク収納ケースのタイトル表示具は、ディスク収納ケースの背面に設けられるタイトル表示具であって、
背表紙が配設される曲面形状の表示面を有する表示本体と、背表紙の上から前記表示面を被うように装着されるカバーとを備え、前記表示本体にはタイトル表示具をディスク収納ケースの背面板に取り付けるための係合部が設けられ、この係合部は表示本体の裏面側に突出し且つ表示本体との間に前記ディスク収納ケースの背面板が差し込まれる差込溝を有する係合突片からなり、この係合突片及び差込溝が表示本体のほぼ全長に亘って設けられていることを特徴とする。
【発明の効果】
【００１１】
本発明は、上記の構成よりなるので、曲面形状の表示面に沿って配設される背表紙の幅を広く確保することができる。そのために、タイトルの文字を大きく表示できるので、文字の記入が容易となると同時に、凸レンズなどを用いなくてもタイトルを大きくハッキリと見ることができ、さらに見る方向によって背表紙のタイトルが見にくくなるといったこともない。
【図面の簡単な説明】
【００１２】
【図１】本発明の第１実施形態に係るタイトル表示具の構成を示す斜視図である。
【図２】同タイトル表示具の部分拡大図である。
【図３】同タイトル表示具を組み付けた時の前記図２におけるＡ−Ａ線断面相当図である。
【図４】ディスク収納ケースの展開図である。
【図５】同タイトル表示具をディスク収納ケースに装着する時の説明図である。
【図６】ディスク収納ケースに装着されたタイトル表示具を示す斜視図である。
【図７】前記図６におけるＢ−Ｂ線断面相当図である。
【図８】前記図６におけるＣ−Ｃ線断面相当図である。
【図９】ディスク収納ケースの背面側からタイトル表示具を見た時の背面図である。
【図１０】本発明の第２実施形態に係るタイトル表示具をディスク収納ケースに装着した時の斜視図である。
【図１１】前記図１０におけるＧ−Ｇ線断面相当図である。
【図１２】本発明の第３実施形態に係るタイトル表示具の構成を示す斜視図である。
【図１３】ディスク収納ケースと一体成形のタイトル表示具を示す斜視図である。
【図１４】前記図１３におけるＨ−Ｈ線断面相当図である。
【図１５】従来のタイトル表示手段の一例を示す斜視図である。
【図１６】従来のタイトル表示手段の他の例を示す断面図である。
【発明を実施するための最良の形態】
【００１３】
以下、添付図面に基づいて、本発明に係るディスク収納ケースのタイトル表示具の実施形態を詳細に説明する。図１には薄型のディスク収納ケースに装着されるタイトル表示具が、図２にはタイトル表示具を拡大した一部が、図３にはタイトル表示具を組み付けた時の断面形状がそれぞれ示されている。この実施形態に係るタイトル表示具２０は、背表紙２１が配設される曲面形状の表示面２３を有する表示本体２２と、背表紙２１の上から前記表示面２３を被うように装着されるカバー２４と、前記表示本体２２を後述するディスク収納ケース２５に取り付けるための係合部２６とを備えている。【００１４】
前記表示本体２２は、例えば、略半円柱状の表示部２７と、この表示部２７の周囲に張出縁２９を有する平板状の基部２８とからなり、着色されたプラスチックによって形成されている。基部２８の全長はディスク収納ケース２５の縦方向の長さと略同一長さである一方、表示部２７は基部２８の全長より僅かに短く、表示部２７の両端には基部２８の上面が表われる。表示面２３の曲面形状が半円の外形形状に限定されないことは勿論である。【００１５】
前記係合部２６は、この実施形態では基部２８の裏面から断面略Ｌ字形状に突出する係合突片３０で構成され、基部２８との間に差込溝３１を有している。なお、この差込溝３１は基部２８の裏面に沿って基部２８の略全長に亘って設けられている。【００１６】
前記背表紙２１は、例えば、裏面に予め粘着剤が塗布された薄紙やコーティングシートからなり、前記表示部２７の全長に対応した長さと、表示面２３の曲面形状に対応した横幅とを有する細長い四角形状である。【００１７】
前記カバー２４は、この実施形態では透明のプラスチックからなり、前記表示部２７の曲面形状に対応した略半円筒形状をしている。また、カバー２４は、前記表示本体２２の基部２８の全長と略同一の長さを有すると共に、基部２８の横幅と略同一の横幅を有している。そのため、図３及び図７に示されるように、カバー２４を前記背表紙２１の上から表示部２７に被せた時に、カバー２４の内面が背表紙２１を介して表示面２３に密着すると共に、カバー２４の両端部３２が基部２８の張出縁２９に当接することで、表示本体２２の全体がカバー２４によって隠れる。また、この実施形態では、前記カバー２４の両端部に仕切壁３３が設けられている。この仕切壁３３は、カバー２４の装着時に表示部２７への固定を確実にするために設けられるものであり、カバー２４の両端部３２が基部２８の張出縁２９に当接するのと同時に、前記表示部２７の両端に設けた係合突起３４と嵌合する係合孔３５が仕切壁３３の中央部に設けられ、この係合突起３４と係合孔３５とでカバー２４の固定手段を構成している。【００１８】
図４及び図５には前記タイトル表示具２０が装着されるディスク収納ケース２５の全体形状が示されている。このディスク収納ケース２５は、プラスチックからなる上ケース４０と下ケース４１とで構成され、少なくとも上ケース４０が透明である。上ケース４０の一側縁部には背面板４２が起立形成されていると共に、この背面板４２の両端には内方へ向けて直角に折れ曲がる係合片４３が前記背面板４２と一体に起立形成されている。また、上ケース４０の上下の側縁部には側面板４４が起立形成されている。【００１９】
一方、下ケース４１の一端側には上記上ケース４０の係合片４３の外側に重なるように配置される脚片４５が起立形成されている。そして、この脚片４５と前記係合片４３との間には上ケース４０と下ケース４１とを回動自在に連結するヒンジ機構３６（図８参照）が設けられており、このヒンジ機構３６によって下ケース４１に対して上ケース４０を回動して閉じ合わせ、また逆方向に回動して展開することができる。【００２０】
上記下ケース４１の中央部にはディスク（図示せず）を固定するための係止爪４６が突設され、この係止爪４６にディスクの円孔を差し込むことで固定することができる。さらに、下ケース４１の外周縁部には四周に側面板４７ａ〜４７ｄが起立形成されている。そして、下ケース４１に対して上ケース４０を閉じ合せた時に、下ケース４１の上下の側面板４７ａ，４７ｂの外側面に上ケース４０の側面板４４の内側面が接することで、上ケース４０が開くのを防ぐ。【００２１】
図５に示したように、上ケース４０と下ケース４１とを閉じ合せることで、上ケース４０の背面板４２と下ケース４１の一端側の側面板４７ｃとが互いに離間し、両者の間に外部に開放された空間部４８が形成されることになる。【００２２】
次に、本発明に係るタイトル表示具２０の作用を説明する。図１及び図２に示されるように、先ず、データを記録した光ディスクの内容を示すタイトルを平らな背表紙２１に表記する。この表記方法は手で書いても、パソコンを使って専用の用紙に印字してもどちらでもよい。タイトルを表記した背表紙２１を粘着紙（図示せず）から剥がし、表示部２７の表示面２３に貼る。この時、背表紙２１が曲がったり、シワが寄らないように貼るのが肝心であり、本実施形態の場合、背表紙２１の一側縁を表示部２７の周囲に設けられた基部２８の張出縁２９に位置合わせし、そのまま表示面２３の曲面形状に沿うように貼り付けることで、ミスを少なくして貼ることができる。【００２３】
前記背表紙２１は表示面２３の曲面形状に沿って配設されるために、図２に示したように、平らにした時の横幅寸法ｗ１を表示部２７の横幅寸法ｗ２より大きく取ることができる。例えば、薄型のディスク収納ケース２５の場合にはケースの厚さが約５ｍｍであり、基部２８の横幅寸法ｗ３も約５ｍｍで対応することから、表示部２７の横幅寸法ｗ２は必然的に５ｍｍより小さくなる。そこで、この横幅寸法ｗ２を仮に４ｍｍとした場合には、背表紙２１の横幅寸法ｗ１を最大で約６．３ｍｍまで取ることができる。即ち、背表紙２１を曲面形状の表示面２３に配設することで、平面状に配設する場合の１．５倍以上の横幅を稼ぐことができることから、背表紙２１に大きな文字でタイトルを表記することが可能となる。【００２４】
次いで、前記背表紙２１の上から表示部２７にカバー２４を被せ、カバー２４の両端の仕切壁３３に設けた係合孔３５を表示部２７の両端に突出させた係合突起３４に嵌合することで、カバー２４を表示部２７から外れないように装着することができる。【００２５】
このように、表示本体２２にカバー２４を装着してタイトル表示具２０を組み付けた後、図５に示すような方向からディスク収納ケース２５に装着する。図５乃至図８に示すように、具体的には下ケース４１側を上にして、上方から上ケース４０の背面板４２に係合突片３０の差込溝３１を差し込む。係合突片３０が背面板４２の全長に亘って設けられているので、前記差込溝３１を差し込むだけでも背面板４２からタイトル表示具２０がずり落ちるようなことはないが、前記係合突片３０に差込溝３１の上部側に傾斜する僅かな傾斜を付けることによって、一層確実に背面板４２に固定される。また、図７に示されるように、タイトル表示具２０は、ディスク収納ケース２５の背面に上ケース４０から僅かに出っ張る程度で装着することができる。【００２６】
図９は、上記装着されたタイトル表示具２０をディスク収納ケース２５の背面側から見た場合を示したものである。背表紙２１のタイトルは元々大きな文字で表記されているので見やすくなっている他、滑らかな曲面形状に沿って表示されているので、ディスク収納ケース２５の背面を真後ろのＤ方向から見るときは勿論のこと、斜め後方のＥ，Ｆ方向から見たとしても違和感なくタイトルをはっきりと読み取ることができる。また、この実施形態では表示本体２２が着色され、カバー２４が透明であるので、カバー２４を通して背表紙２１の周囲の張出縁２９のカラー色が見えることになり、表示本体２２の着色によって分類することもできる。このように、背表紙２１に大きく表記されたタイトルや表示本体２２の色分けなどによって記録されたディスクの整理や管理を容易に行なうことができることになる。【００２７】
図１０及び図１１には本発明に係るタイトル表示具の第２の実施形態が示されている。この実施形態に係るタイトル表示具５０は、基本的には前記第１の実施形態と同様、表示本体５２、カバー５４及び表示本体５２の裏面側に設けられる係合部５６を備えてなるものであるが、この係合部５６が表示本体５２の裏面から断面略Ｌ字形状に突出する係合突片５７と、この係合突片５７の先端からディスク収納ケース２５の空間部４８の底面４９に沿って延びる押圧片５８とからなる点が異なる。【００２８】
前記押圧片５８は係合突片５７の先端から略直角に折れ曲がるように形成されており、係合突片５７をディスク収納ケース２５の背面板４２に装着する際には、前記空間部４８の底面４９を押圧片５８が多少押え付けるように密着して配設される。そのため、背面板４２に対する係合突片５７の挟持力も増して一層確実にタイトル表示具５０が装着されることになる。それに加えて、空間部４８の底面４９にもタイトル用のラベル５９を配設することができるので、背表紙２１だけでなくディスク収納ケース２５の上ケース４０側からもタイトルを表記することができ、ディスクの整理や管理がより一層容易となる。【００２９】
図１２乃至図１４には本発明に係るタイトル表示具の第３の実施形態が示されている。この実施形態に係るタイトル表示具６０は、表示本体６２がディスク収納ケース６３の背面板６４と一体に形成されるものである。ディスク収納ケース６３の成形時に背面板６４を突出形成することによって、略半円柱状の表示部６５を形成し、その表面に曲面形状の表示面６６を設けている。表示部６５の周囲には前記実施形態と同様の張出縁６７が設けられ、背表紙２１の上から透明のカバー６８を装着した時には張出縁６７にカバー６８の両端部が当接することで、ディスク収納ケース６３との一体感を出すことができる。【００３０】
前記実施形態によれば、タイトル表示具６０の表示本体６２をディスク収納ケース６３の上ケース６９と同時成形できるので、製造工程上の管理がし易くなると共に製造コストも抑えることができるといった効果を奏する。また、第１、第２実施形態とは異なって、図１４に示されるように、タイトル表示具６０は、ディスク収納ケース６３の下ケース７０から出っ張ることもないので、すっきりした外観が得られることになる。
【産業性の利用可能性】
【００３１】
本発明のタイトル表示具は、薄型のディスク収納ケースの背面にも簡易に取り付けることができ、また背表紙に表示されたタイトルも大きくハッキリと見えるので、このタイトル表示具によってディスクの整理や管理を容易に行なうことができる。
【符号の説明】
【００３２】
２０，５０，６０  タイトル表示具
２１  背表紙
２２，５２，６２  表示本体
２３，６６  表示面
２４，５４，６８  カバー
２５，６３  ディスク収納ケース
２６，５６  係合部
２７，６５  表示部
２８  基部
２９，６７  張出縁
３０，５７  係合突片
３１  差込溝
３４  係合突起（カバーの固定手段）
３５  係合孔（カバーの固定手段）
４０，６９  上ケース
４１，７０  下ケース
４２，６４  背面板
【図１】
0004836932.tif 000002
【図２】
0004836932.tif 000003
【図３】
0004836932.tif 000004
【図４】
0004836932.tif 000005
【図５】
0004836932.tif 000006
【図６】
0004836932.tif 000007
【図７】
0004836932.tif 000008
【図８】
0004836932.tif 000009
【図９】
0004836932.tif 000010
【図１０】
0004836932.tif 000011
【図１１】
0004836932.tif 000012
【図１２】
0004836932.tif 000013
【図１３】
0004836932.tif 000014
【図１４】
0004836932.tif 000015
【図１５】
0004836932.tif 000016
【図１６】
0004836932.tif 000017